(57)【特許請求の範囲】
【請求項１】
自動車の車室内に設けられる自動車用インストルメントパネルであって、
前記車室の前方に配設される基材と、
前記基材に設けられて永久磁石又は強磁性体からなる第１磁着体と、
前記基材に保持されるパネル部材と、
前記パネル部材に設けられて前記第１磁着体に磁着可能な永久磁石又は強磁性体からなる第２磁着体と、
を備え、
前記第１磁着体と前記第２磁着体とが磁力を介して磁着することで、前記パネル部材が前記基材に着脱可能に位置決め固定されるとともに、
前記第２磁着体が前記パネル部材の内部に埋入されるとともに前記第１磁着体の磁路となり、前記パネル部材の、前記基材に臨む側の面と反対側の面の全体が磁力を示すことを特徴とする自動車用インストルメントパネル。
【請求項２】
請求項１記載のインストルメントパネルにおいて、前記第１磁着体が前記基材の内部に埋入されていることを特徴とする自動車用インストルメントパネル。
【請求項３】
請求項１又は２記載のインストルメントパネルにおいて、前記パネル部材の主面と、前記主面の裏面が別色又は別模様に設定されていることを特徴とする自動車用インストルメントパネル。
【請求項４】
請求項１〜３のいずれか１項に記載のインストルメントパネルにおいて、前記パネル部材が複数個であり、且つ該複数個のパネル部材の各外寸が同一であることを特徴とする自動車用インストルメントパネル。
【請求項５】
請求項１〜４のいずれか１項に記載のインストルメントパネルにおいて、前記パネル部材に、被保持物を保持するための保持部が設けられていることを特徴とする自動車用インストルメントパネル。
【請求項６】
請求項５記載のインストルメントパネルにおいて、前記保持部が、前記被保持物を把持するための把持爪であることを特徴とする自動車用インストルメントパネル。
【請求項７】
請求項５記載のインストルメントパネルにおいて、前記保持部が前記被保持物を収容するためのポケットであることを特徴とする自動車用インストルメントパネル。
【発明の詳細な説明】
【技術分野】
【０００１】
本発明は、自動車用インストルメントパネルに関し、一層詳細には、基材と、磁力を介して該基材に位置決め固定されるパネル部材とを有する自動車用インストルメントパネルに関する。
【背景技術】
【０００２】
量産車の同一車種の同一グレードでは、１種類のインストルメントパネルが用意されるのみである。このため、特許文献１に記載されるように、任意の配置や色彩、装飾に変更することは容易ではない。従って、ユーザが自身の好みに応じたインテリアとするには、別途販売されている部品を購入し、その上で、自動車ディーラー等で該部品を取り付けてもらう必要がある。
【０００３】
この観点から、特許文献１において、ダッシュボード（インストルメントパネル）の一部に、布地類を被せたパネルを着脱可能に設置することが提案されている。すなわち、ユーザの運転時の気分に合わせてパネルを交換することで、車室内の雰囲気を容易に変更することができる、とのことである。なお、布地類を被せたパネルに替え、塗装したパネル等を使用することも考えられる。
【先行技術文献】
【特許文献】
【０００４】
【特許文献１】特開平７−３２９５４号公報
【発明の概要】
【発明が解決しようとする課題】
【０００５】
上記の従来技術は、布地又は塗装のいずれにしても、量産品のインストルメントパネルに対し、新たなパネルを部分的に追加設置するものである。すなわち、この場合、新たなパネルを購入してインストルメントパネルに取り付ける必要がある。ここで、インストルメントパネルは、運転席側と助手席側で形状が相違する。このため、運転席側用のパネルと助手席側用のパネルを、形状や大きさが互いに相違するものとして用意しなければならない。
【０００６】
また、ユーザがパネルに飽きを感じ、色彩や形状が相違する新たなパネルに交換したいと考えたときには、該新たなパネルを購入する必要が生じる。結局、特許文献１記載の従来技術では、コストが高騰することを回避することは困難である。
【０００７】
さらに、この従来技術では、パネルを、マジックテープ（登録商標）又はネジによってダッシュボードに位置決め固定するようにしている。マジックテープにてパネルをインストルメントパネルに位置決め固定する場合には、先ず、パネルを設置する場所にマジックテープを設置しなければならない。しかも、パネルの位置を変更したいときには、その都度、インストルメントパネル側のマジックテープを取り外した上で位置を変更し、再度設置するという手間が必要となる。インストルメントパネルからマジックテープを取り外さない場合には、インストルメントパネルに残留したマジックテープをユーザが視認し得るので、美観が損なわれる。
【０００８】
一方、ネジを介してパネルをインストルメントパネルに取り付けた場合、パネルを取り外すと、ネジ穴が視認可能な状態となる。従って、美観が損なわれる。これを回避するべく、ネジ穴を閉塞する等して該ネジ穴が視認されないようにすることが想起されるが、著しく煩雑である。
【０００９】
本発明は上記した問題を解決するためになされたもので、ユーザが色彩等を任意且つ容易に変更可能であり、しかも、コストが高騰することを回避し得る自動車用インストルメントパネルを提供することを目的とする。
【課題を解決するための手段】
【００１０】
前記の目的を達成するために、本発明は、自動車の車室内に設けられる自動車用インストルメントパネルであって、
前記車室の前方に配設される基材と、
前記基材に設けられて永久磁石又は強磁性体からなる第１磁着体と、
前記基材に保持されるパネル部材と、
前記パネル部材に設けられて前記第１磁着体に磁着可能な永久磁石又は強磁性体からなる第２磁着体と、
を備え、
前記第１磁着体と前記第２磁着体とが磁力を介して磁着することで、前記パネル部材が前記基材に着脱可能に位置決め固定されることを特徴とする。
【００１１】
すなわち、本発明では、第１磁着体と第２磁着体との間に磁力が作用することにより、基材に対してパネル部材が着脱可能に位置決め固定される。このため、ユーザがパネル部材を変更したいときには、該パネル部材を把持して引っ張ることにより、該パネル部材を基材から容易に離脱させることができる。従って、例えば、パネル部材の位置や車室内の色彩を、運転時のユーザの希望や嗜好に応じて変更することが可能となる。
【００１２】
ここで、パネル部材には、磁力を介して各種の物品、例えば、市販品である磁石付フック等を位置決め固定することが可能である。又は、シート形状の永久磁石を物品に貼付し、これをパネル部材に磁着するようにしてもよい。勿論、これらの物品はパネル部材に対して着脱可能であり、従って、任意の位置に物品を磁着することができる。このため、車室内において、ユーザの好みや使い勝手に応じた独創性に富むインテリアを容易に構築することができる。
【００１３】
このように、本発明では、簡素な構成でありながら、車室内の色彩や配置をユーザが任意に、且つ容易に変更することができる。しかも、ユーザが自身で位置変更等を行えることから、コストが高騰することを回避することもできる。
【００１４】
第１磁着体は、基材の内部に埋入されていることが好ましい。この場合、パネル部材を基材から離脱させたときに第１磁着体がユーザから視認されることがない。このため、パネル部材を基材から離脱させた状態のままであっても、車室内の美観が損なわれることがない。換言すれば、基材の内部に第１磁着体を埋入することにより、パネル部材を基材から離脱させたときの基材の美観を確保することができる。同様の理由から、第２磁着体もパネル部材の内部に埋入することが好ましい。また、この場合、第２磁着体が第１磁着体の磁路となることから、パネル部材の、前記基材に臨む側の面と反対側の面の全体が磁力を示す。
【００１５】
パネル部材には、基材に磁着される面（裏面）と、ユーザに視認される面（主面）とが存在する。ここで、主面と裏面を裏返した上でパネル部材を基材に磁着することも可能である。すなわち、それまでの裏面が新たな主面となり、一方、それまでの主面が新たな裏面となる。
【００１６】
従って、主面と裏面を別色又は別模様とすることが好ましい。これにより、パネル部材を裏返すことのみで車室内の色彩や模様を変更することができる。
【００１７】
ここで、各パネル部材の外寸が相違している場合、例えば、３個以上のパネル部材中の２個の位置を入れ替えるとき、外寸が大きなパネル部材を、外寸が小さなパネル部材の離脱跡に磁着する際、他のパネル部材に干渉する懸念がある。これを回避するべく、該他のパネル部材をずらす必要が生じる。
【００１８】
従って、パネル部材を複数個設けるときには、該複数個のパネル部材の各外寸を同一に設定することが好ましい。これにより、上記の場合においても、２個のパネル部材を位置交換するのみでパネル部材を新たな配置とすることができる。しかも、同一外寸のパネル部材を量産することができるので、コストの低廉化を図ることができる。
【００１９】
パネル部材それ自身に、被保持物を保持するための保持部を設けるようにしてもよい。この場合、磁石を備えておらず且つ強磁性を示さない被保持物を保持することができるという利点がある。
【００２０】
保持部は、例えば、被保持物を把持するための把持爪として構成すればよい。この把持爪により、被保持物を保持することが容易となる。なお、この場合の被保持物の好適な例としては、スマートフォンやタブレット型パーソナルコンピュータが挙げられる。この場合、スマートフォンやタブレット型パーソナルコンピュータを車載用ナビゲーションや車載用オーディオの代替手段として用いることができる。
【００２１】
保持部を、被保持物を収容するためのポケットとして構成することもできる。ポケット内は、外方から視認し得るようにしてもよいし、視認し得ないようにしてもよい。また、ポケットは、紙片が挿入可能な程度のものであってもよいし、主面に設けられた袋状のものであってもよい。さらには、パネル部材の中空内部であってもよい。
【００２２】
外方から視認し得且つ紙片が挿入可能なポケットに収容される被保持物の好適な例としては、写真や絵葉書等が挙げられる。また、外方から視認し得ず且つ袋状のポケットに収容される被保持物の好適な例としては、ガソリンスタンドの会員カードや小銭等が挙げられる。さらに、中空内部としてのポケットに収容される被保持物の好適な例としては、ティッシュペーパーが挙げられる。
【００２３】
以上のように、各種の被保持物を保持可能な構成とすることにより、ユーザの使い勝手、すなわち、利便性が一層向上する。
【発明の効果】
【００２４】
本発明によれば、基材に設けられた第１磁着体と、パネル部材に設けられた第２磁着体との間に作用する磁力により、基材に対してパネル部材を着脱自在に位置決め固定するようにしている。このため、ユーザがパネル部材を基材から離脱させることや、該パネル部材の位置変更を行うことが容易である。この位置変更により、例えば、車室内の色彩等を、運転時のユーザの希望や嗜好に応じて、ユーザが自身で変更することができる。従って、コストが高騰することが回避される。
【００２５】
しかも、パネル部材が各種の物品を保持し得るので、ユーザの好みや使い勝手に応じた任意の位置に物品を配置することができる。すなわち、簡素な構成でありながら、車室内で独創性に富むインテリアを容易に構築することができる。
【図面の簡単な説明】
【００２６】
【図１】本発明の実施の形態に係る自動車用インストルメントパネルの要部正面図である。
【図２】図１に示す自動車用インストルメントパネルの要部縦断面図である。
【図３】図３Ａ及び図３Ｂは、それぞれ、前記自動車用インストルメントパネルを構成するパネル部材の主面を視認したときの概略全体斜視図、裏面を視認したときの概略全体斜視図である。
【図４】パネル部材に対し、スマートフォンを起立姿勢で保持した状態を示す自動車用インストルメントパネルの要部正面図である。
【図５】把持爪を有する保持部が設けられたパネル部材の全体概略斜視図である。
【図６】表皮材である枠体の主面に収容ポケット（保持部）が形成されたパネル部材の全体概略斜視図である。
【図７】布地からなる表皮材に袋状のポケットが形成されたパネル部材の全体概略斜視図である。
【図８】ポケットとしての中空内部が形成され、且つ主面に取出口が開口したパネル部材の全体概略斜視図である。
【図９】別の実施の形態に係る自動車用インストルメントパネルの要部縦断面図である。
【発明を実施するための形態】
【００２７】
以下、本発明に係る自動車用インストルメントパネルにつき好適な実施の形態を挙げ、添付の図面を参照して詳細に説明する。なお、以下における「ユーザ」は、運転手や同乗者等、自動車の乗員を指称するものとする。
【００２８】
図１は、本実施の形態に係る自動車用インストルメントパネル（以下、単に「インストルメントパネル」とも表記する）１０の要部正面図を図１に示す。このインストルメントパネル１０は、自動車の車室内に設けられ、運転席側から助手席側にわたって、換言すれば、自動車の車幅方向に沿って延在する部位を有し且つインストルメントパネル１０の本体をなす基材１２を具備する。なお、図１中の参照符号１４は、自動車の前輪を転舵するためのステアリングを示す。
【００２９】
前記基材１２は樹脂材からなり、車室の前方（進行方向）に配設される。そして、ユーザに臨む車体後方側には、略垂直に立ち上がったボード面２０が形成される。ここで、該ボード面２０近傍の要部縦断面である図２に示すように、基材１２の内部には、第１磁着体としての長尺な第１永久磁石２２が埋入されている。なお、第１永久磁石２２が埋入した基材１２は、基材１２を得るための成形型のキャビティに第１永久磁石２２を予め収容しておき、その後、前記キャビティに溶融樹脂を充填することで容易に得ることができる。
【００３０】
前記ボード面２０には、図１に示すように複数個（本実施の形態では７個）のパネル部材２４ａ〜２４ｇが保持されている。これらパネル部材２４ａ〜２４ｇと前記基材１２により、インストルメントパネル１０が構成される。７個のパネル部材２４ａ〜２４ｇの外寸（高さ×幅×厚み）は、全て同一である。
【００３１】
図２を参照してパネル部材２４ａにつき説明すると、該パネル部材２４ａは、中空の金属材からなり略直方体形状をなす芯材２６（第２磁着体）と、該芯材２６の表面に接合された表皮材２８とを有する。すなわち、芯材２６は表皮材２８で覆われており、これにより、内部に芯材２６が埋入されたパネル部材２４ａが構成されている。表皮材２８は、例えば、高分子シートから構成すればよいが、紙であってもよい。
【００３２】
芯材２６を構成する金属は、鉄等の強磁性体からなる。従って、芯材２６と第１永久磁石２２とが磁力を介して磁着する。この磁着により、パネル部材２４ａが基材１２に位置決め固定される。なお、ユーザがパネル部材２４ａを把持して基材１２から離間する方向に引っ張ったとき、換言すれば、磁力よりも大きな外力が作用したとき、パネル部材２４ａはボード面２０から容易に離脱する。すなわち、パネル部材２４ａは基材１２に対して着脱可能である。
【００３３】
図３Ａ及び図３Ｂにおいてクロスハッチングの有無で表現しているように、表皮材２８は、パネル部材２４ａの主面２９ａと裏面２９ｂで別色に設定されている。主面２９ａの色は、例えば、彩色（橙系統色等の暖色や、青系統色等の寒色等）、又は無彩色（白色、黒色、灰色等）等の中から任意に選定することができる。一方の裏面２９ｂは、例えば、基材１２と同色（主には肌色）としてもよいが、特にこれに限定されるものではなく、主面２９ａの色と補色関係にある色とすることもできる。さらに、主面２９ａが彩色であるときには、裏面２９ｂを無彩色としてもよい。
【００３４】
残余のパネル部材２４ｂ〜２４ｇも、パネル部材２４ａと同様に構成されている。ここで、パネル部材２４ａ、２４ｄ、２４ｆの主面２９ａは同色である。また、パネル部材２４ｂ、２４ｅの主面２９ａは互いに同色であり、且つパネル部材２４ａ、２４ｄ、２４ｆの主面２９ａと別色である。さらに、パネル部材２４ｃ、２４ｇの主面２９ａは互いに同色であり、且つパネル部材２４ａ、２４ｄ、２４ｆの主面２９ａ、及びパネル部材２４ｂ、２４ｅの主面２９ａと別色である。図１では、このことを、パネル部材２４ａ、２４ｄ、２４ｆの主面２９ａを無地とする一方、パネル部材２４ｂ、２４ｅの主面２９ａにクロスハッチングを付すとともに、パネル部材２４ｃ、２４ｇの主面２９ａにドットを付すことで表現している。
【００３５】
本実施の形態に係るインストルメントパネル１０は、基本的には上記のように構成されるものであり、次に、その作用効果につき説明する。
【００３６】
図２に示すように、基材１２には第１永久磁石２２が埋入され、パネル部材２４ａ〜２４ｇには強磁性体からなる芯材２６が埋入されている。このため、パネル部材２４ａ〜２４ｇがボード面２０に容易に磁着され、これにより該ボード面２０に位置決め固定される。図２では、ユーザに視認される側の端面を主面２９ａ、ボード面２０に臨む側の端面を裏面２９ｂとしている。
【００３７】
その一方で、パネル部材２４ａ〜２４ｇは、ユーザが該パネル部材２４ａ〜２４ｇを把持して引っ張ることで、ボード面２０から容易に離脱する。従って、パネル部材２４ａ〜２４ｇのボード面２０における位置を、例えば、図４に示すように、図１とは逆に左方から右方に向かってパネル部材２４ｇ〜２４ａの順序とする（参照）等、変更することが著しく容易である。
【００３８】
しかも、パネル部材２４ａ〜２４ｇの外寸が同一であるので、例えば、パネル部材２４ｂとパネル部材２４ｅの位置を変更する際、パネル部材２４ｂがパネル部材２４ｅの離脱跡に収容されるとともに、パネル部材２４ｅがパネル部材２４ｂの離脱跡に収容される。従って、パネル部材２４ｃ、２４ｄをずらす必要がない。このように、パネル部材２４ａ〜２４ｇの外寸を同一とすることで、該パネル部材２４ａ〜２４ｇの一部の位置を変更することも容易となる。
【００３９】
また、パネル部材２４ａ〜２４ｇとして外寸が同一であるものを作製するので、スペアのパネル部材も含めて量産が容易である。このため、パネル部材２４ａ〜２４ｇの提供に要するコストの低廉化を図ることができる。
【００４０】
さらに、パネル部材２４ａ〜２４ｇの全部、又は一部を裏返し、別色である裏面２９ｂがユーザに視認されるようにすることも容易である。従って、パネル部材２４ａ〜２４ｇの視認される面を、例えば、夏季には寒色、冬季には暖色とする等、運転を開始する際のユーザの好みに応じて車室内の色彩を容易に変更することができる。このように、本実施の形態によれば、コストが高騰することを回避しながら、インストルメントパネル１０の色彩を任意に、且つ容易に変更することが可能である。
【００４１】
なお、パネル部材２４ａ〜２４ｇの主面２９ａ及び裏面２９ｂに変更したい色がないときには、変更したい色に設定された別のパネル部材に変更するようにしてもよい。
【００４２】
パネル部材２４ａ〜２４ｇの全部又は一部をボード面２０から取り外した状態で運転するようにしてもよい。本実施の形態では、上記したように第１永久磁石２２がボード面２０の内部に埋入されているため、パネル部材２４ａ〜２４ｇが取り外されている状態であっても、第１永久磁石２２がユーザから視認されることはない。また、本実施の形態では、マジックテープやネジ等を用いる必要がないので、パネル部材２４ａ〜２４ｇが取り外されたときに、上記従来技術のように、基材に貼付されたマジックテープや、基材に形成されたネジ穴等が視認されることもない。すなわち、基材１２、ひいてはインストルメントパネル１０が美観に優れる。
【００４３】
第１永久磁石２２に磁着した芯材２６は、第１永久磁石２２の磁路となる。従って、芯材２６の主面にも磁力が発現する。このため、図１及び図２に示すように、第２永久磁石３０が設けられた物品を、磁力を介してパネル部材２４ａ〜２４ｇの主面２９ａに位置決め固定することが可能である。
【００４４】
図１においては、物品として、カレンダ３２、第１フォトフレーム３４、スマートフォン３６、アナログ時計３８及び第２フォトフレーム４０を、パネル部材２４ａ、２４ｂ、２４ｄ、２４ｅ、２４ｇにそれぞれ設けた場合を例示している。第２永久磁石３０はシート形状体であり、カレンダ３２、第１フォトフレーム３４、スマートフォン３６、アナログ時計３８及び第２フォトフレーム４０の各裏面に貼付される。
【００４５】
これらの物品も、パネル部材２４ａ〜２４ｇに対して容易に着脱可能である。従って、物品の位置や姿勢を、ユーザの好みや便宜に応じて任意に変更することができる。例えば、図１では、スマートフォン３６を、長手方向が水平方向に沿って延在する横臥姿勢としているが、図４に示すように、長手方向が鉛直方向に沿って延在する起立姿勢とすることもできる。
【００４６】
このように、磁力を介してパネル部材２４ａ〜２４ｇを基材１２に位置決め固定するようにしたことに伴い、パネル部材２４ａ〜２４ｇ以外のさらなる物品をインストルメントパネル１０に位置決め固定することができる。このため、ユーザの使い勝手が向上する。
【００４７】
しかも、スマートフォン３６をインストルメントパネル１０に位置決め固定することができるので、該スマートフォン３６を車載用ナビゲーションや車載用オーディオの代替手段として用いることが可能となる。勿論、スマートフォン３６に代えてタブレット型パーソナルコンピュータを位置決め固定するようにしてもよい。
【００４８】
また、パネル部材それ自体に、磁力以外の保持機能を営ませるようにしてもよい。すなわち、何らかの被保持物を保持する保持部を設けたパネル部材を構成することも可能である。その具体例を、図５〜図８に個別に示す。
【００４９】
図５は、把持爪５０を有するホルダ５２（保持部）が設けられたパネル部材５４の全体概略斜視図である。このホルダ５２には、被保持物として、例えば、スマートフォン３６やタブレット型パーソナルコンピュータ等が保持される。この場合、スマートフォン３６又はタブレット型パーソナルコンピュータの裏面に第２永久磁石３０を貼付する必要がないという利点がある。なお、スマートフォン３６やタブレット型パーソナルコンピュータを車載用ナビゲーションや車載用オーディオの代替手段とし得ることは、上記した通りである。
【００５０】
次に、図６に示すパネル部材５６は、表皮材として木目調の枠体５８が設けられるとともに、該枠体５８の主面に、透明シート６０が挿入された収容ポケット６２（保持部）が形成されて構成されている。この収容ポケット６２には、例えば、写真や絵葉書等、透明シート６０を介して収容ポケット６２内を視認したときに美観を覚える紙片（被保持物）を収容することができる。勿論、メモ用紙や有料道路通行券等、美観を特に覚えないものを収容するようにしてもよい。
【００５１】
図７は、ジーンズないしデニム調の布地６４が表皮材として構成されたパネル部材６６の全体概略斜視図である。前記布地６４には、袋状ポケット６８（保持部）が設けられる。この袋状ポケット６８には、有料道路通行券や領収書、ガソリンスタンドの会員カード、小銭等の被保持物を収容することが可能である。
【００５２】
そして、図８は、内部が中空（ポケット）であるパネル部材７０の全体概略斜視図である。このパネル部材７０の主面には、長穴形状の取出口７２が形成されている。従って、例えば、中空内部としてのポケットにティッシュペーパー７４（被保持物）を収容するとともに、取出口７２から必要枚数のティッシュペーパー７４を取り出すという用途に適する。
【００５３】
以上のような構成のパネル部材５４、５６、６６、７０のいずれか又は全部を基材１２に位置決め固定することにより、使い勝手を一層向上させることができる。なお、パネル部材５４、５６、６６、７０のいずれか又は全部を、パネル部材２４ａ〜２４ｇのいずれかと併用して基材１２に位置決め固定することが可能であることは勿論である。
【００５４】
本発明は、上記した実施の形態に特に限定されるものではなく、本発明の主旨を逸脱しない範囲で種々の変更が可能である。
【００５５】
例えば、基材１２に設ける第１磁着体を強磁性体とするとともに、パネル部材２４ａ〜２４ｇ、５４、５６、６６、７０に設ける第２磁着体を永久磁石とするようにしてもよい。
【００５６】
又は、図９に示すように、基材１２に設ける第１磁着体及びパネル部材に設ける第２磁着体の双方を永久磁石としてインストルメントパネル７８を構成するようにしてもよい。図９には、第２磁着体としての第３永久磁石８０を樹脂材からなる中間層８２内に埋入し、さらに、該中間層８２を表皮材２８で覆ってパネル部材８４を構成した例を示している。
【００５７】
この場合には、第１永久磁石２２、第３永久磁石８０及び第２永久磁石３０の磁極を、基材１２のボード面２０に対してパネル部材８４の裏面２９ｂが磁着され、且つパネル部材８４の主面２９ａに所定の物品（カレンダ３２等）が磁着されるように合わせればよい。
【００５８】
また、上記した実施の形態では、パネル部材２４ａ〜２４ｇにつき、主面２９ａと裏面２９ｂを別色にする場合を例示しているが、別模様とするようにしてもよい。勿論、色及び模様の双方が相違するように設定することも可能である。
【符号の説明】
【００５９】
１０、７８…自動車用インストルメントパネル    １２…基材
２０…ボード面                                ２２…第１永久磁石
２４ａ〜２４ｇ、５４、５６、６６、７０、８４…パネル部材
２６…芯材                                    ２８…表皮材
２９ａ…主面                                  ２９ｂ…裏面
３０…第２永久磁石                            ５０…把持爪
５２…ホルダ                                  ６２、６８…ポケット
７２…取出口                                  ８０…第３永久磁石
８２…中間層
【図１】
0006378713.tif 000002
【図２】
0006378713.tif 000003
【図３】
0006378713.tif 000004
【図４】
0006378713.tif 000005
【図５】
0006378713.tif 000006
【図６】
0006378713.tif 000007
【図７】
0006378713.tif 000008
【図８】
0006378713.tif 000009
【図９】
0006378713.tif 000010